(57)【特許請求の範囲】
【請求項１】
複数の固定接点が植設されたケースと、このケース内に移動可能に収納された操作体と、この操作体に装着され前記固定接点に接離する可動接片と、前記ケースの収納部に収納され、前記操作体を付勢するコイル状のばねからなり、このばねの両端の座巻部数を合計で３／４巻き〜１巻きにして前記ばねの上半分と下半分の寸法がほぼ全周にわたって同等とし、どの位置で前記収納部の両側面に弾接しても前記ばねが均等に撓むようにすると共に、前記ばねを前記ケースの収納部に圧入して収納した後、前記可動接片を装着した前記操作体を前記ケースに収納したスライドスイッチ。
【発明の詳細な説明】
【０００１】
【発明の属する技術分野】
本発明は、携帯電話やデジタルカメラ等の各種電子機器に用いられるスライドスイッチに関するものである。
【０００２】
【従来の技術】
近年、携帯電話やデジタルカメラなどの電子機器において、音量の切替えやズームの大小の操作用スイッチとして、二方向への操作が可能で、手を離すと中立位置に復帰する、所謂オートリターン型のスライドスイッチが多く用いられている。
【０００３】
このような従来のスライドスイッチについて、図５〜図８を用いて説明する。
【０００４】
図５は従来のスライドスイッチの断面図、図６は同分解斜視図であり、同図において、１は略箱形で絶縁樹脂製のケースで、このケース１の後方の内側面には導電金属製の複数の固定接点２が植設されると共に、内底面には左右側面から延出し対向するリブ状の押圧部１Ａが設けられている。
【０００５】
そして、３は絶縁樹脂製の操作体で、操作部３Ａがケース１前方へ突出すると共に、略中央下面に設けた凹状の収納部３Ｂには、コイル状のばね５がやや撓んだ状態で収納されている。
【０００６】
また、操作体３の収納部３Ｂの左右にはケース１の押圧部１Ａが挿通する溝部３Ｃが設けられ、操作体３がケース１内に左右方向へ移動可能に収納されている。
【０００７】
そして、４は導電金属製の可動接片で、中間部が操作体３の後方側面に装着されると共に、やや撓んだ状態で両端の接点部４Ａがケース１の後方側面に弾接している。
【０００８】
さらに、６は金属板製のカバーで、このカバー６が操作体３を収納したケース１上面の開口部を覆って、スライドスイッチが構成されている。
【０００９】
次に、このように構成されたスライドスイッチの製造方法について説明する。
【００１０】
先ず、操作体３に可動接片４を装着した後、収納部３Ｂが上向きになるように操作体３を保持して、収納部３Ｂにばね５を撓めながら収納する。
【００１１】
この後、操作体３を反転し、ばね５が収納された収納部３Ｂが下向きになるように操作体３を保持して、ケース１内に収納し、最後に、カバー６でケース１上面の開口部を覆ってスライドスイッチが完成する。
【００１２】
以上の構成において、図５に示す中立位置から操作部３Ａを左方向へ操作すると、図７の断面図に示すように、操作体３の移動に伴って、ばね５の左端は収納部３Ｂの左側面から離れて、ケース１の左側の押圧部１Ａに弾接し、収納部３Ａの右側面に押圧されて圧縮される。
【００１３】
そして、操作体３に装着された可動接片４両端の接点部４Ａが、ケース１の後方側面を弾接摺動して、左側と中央の固定接点２に弾接し、可動接片４を介してスイッチの電気的接続が行なわれる。
【００１４】
また、操作部３Ａへの操作力を解除すると、ばね５の右端が収納部３Ａの右側面を押圧し、圧縮されたばね５の付勢力によって、操作体３が元の中立位置に復帰するように構成されている。
【００１５】
なお、操作部３Ａを右方向へ操作した場合には、上記とは逆に、ばね５はケース１右側の押圧部１Ａと収納部３Ｂの左側面との間で圧縮され、可動接片４の接点部４Ａは中央と右側の固定接点２に弾接するように構成されているものであった。
【００１６】
【発明が解決しようとする課題】
しかしながら上記従来のスライドスイッチにおいては、図８の斜視図にハッチングで示すように、コイル状のばね５の座巻部５Ａは通常両端で１／４巻きずつであるため、ばね５の上半分に比べ下半分の寸法はこの座巻部５Ａの分だけ長くなっており、スイッチ組立て時、操作体３の収納部３Ｂ内にばね５を撓めながら収納する際、座巻部５Ａが収納部３Ｂの左右側面に弾接すると、ばね５が均等に撓められないため、ばね５の中間部が上方に突出して、ばね５が収納部３Ｂから飛び出して外れ易くなってしまい、組立てづらく、作業に時間を要するという課題があった。
【００１７】
本発明は、このような従来の課題を解決するものであり、組立て易く、作業の容易なスライドスイッチを提供することを目的とする。
【００１８】
【課題を解決するための手段】
上記目的を達成するために本発明は、以下の構成を有するものである。
【００１９】
本発明の請求項１に記載の発明は、複数の固定接点が植設されたケースと、このケース内に移動可能に収納された操作体と、この操作体に装着され前記固定接点に接離する可動接片と、前記ケースの収納部に収納され、前記操作体を付勢するコイル状のばねからなり、このばねの両端の座巻部数を合計で３／４巻き〜１巻きにして前記ばねの上半分と下半分の寸法がほぼ全周にわたって同等とし、どの位置で前記収納部の両側面に弾接しても前記ばねが均等に撓むようにすると共に、前記ばねを前記ケースの収納部に圧入して収納した後、前記可動接片を装着した前記操作体を前記ケースに収納したスライドスイッチを構成したものであり、ばねの上半分と下半分の寸法がほぼ全周にわたって同等で、どの位置で収納部の左右側面に弾接してもばねが均等に撓むため、中間部の突出や収納部からの外れがなく、組立て易く、作業が容易で、安価なスライドスイッチを得ることができるという作用を有する。
【００２１】
【発明の実施の形態】
以下、本発明の一実施の形態について、図１〜図４を用いて説明する。
【００２２】
なお、従来の技術の項で説明した構成と同一構成の部分には同一符号を付して、詳細な説明を簡略化する。
【００２３】
（実施の形態）
図１は本発明の一実施の形態によるスライドスイッチの断面図、図２は同分解斜視図であり、同図において、１１は略箱形でポリフェニレンサルファイトやポリブチレンテレフタレート等の絶縁樹脂製のケースで、このケース１１の後方の内側面には、銅合金等に銀等の貴金属メッキが施された導電金属製の複数の固定接点１２Ａ〜１２Ｃが植設されている。
【００２４】
そして、ケース１１内底面に窪んで設けられた収納部１１Ａ内には、銅線等のコイル状のばね１５が長手方向にやや撓んだ状態で収納されると共に、収納部１１Ａ両端には左右側面へ延出する溝部１１Ｂが形成されている。
【００２５】
また、１３はポリブチレンテレフタレートやナイロン等の絶縁樹脂製の操作体で、操作部１３Ａがケース１１前方へ突出すると共に、両端にはリブ状の押圧部１３Ｂが対向して設けられ、この押圧部１３Ｂが溝部１１Ｂに挿通されて、操作体１３がケース１１内に左右方向へ移動可能に収納されている。
【００２６】
そして、４は銅合金等に銀等の貴金属メッキが施された導電金属製の可動接片で、中間部が操作体１３の後方側面に装着されると共に、やや撓んだ状態で両端の接点部４Ａと４Ｂがケース１１の後方側面に弾接している。
【００２７】
さらに、６はメッキ鋼板等の金属板製のカバーで、このカバー６が操作体１３を収納したケース１１上面の開口部を覆って、スライドスイッチが構成されている。
【００２８】
なお、コイル状のばね１５は、図３の斜視図にハッチングで示すように、左端の座巻部１５Ａは１／４巻きであるが、右端の座巻部１５Ｂは１／２巻きから３／４巻きの間に形成され、両端の座巻部数は合計で３／４巻き〜１巻きとなっているため、ばね１５の上半分と下半分の寸法がほぼ全周にわたって同等で、どの位置で収納部１１Ａの左右側面に弾接してもばねが均等に撓み、中間部の突出や収納部からの外れがないように形成されている。
【００２９】
また、このように構成されたスライドスイッチは組立てる場合、先ず、ケース１１の収納部１１Ａ内にばね１５を圧入して収納し、次に可動接片４が後方側面に装着された操作体１３の押圧部１３Ｂを下向きにして、左右の押圧部１３Ｂ間に、収納部１１Ａ内のばね１５が配置されるように操作体１３を載置する。
【００３０】
そして、最後にカバー６をケース１１上面に装着してスライドスイッチは完成する。
【００３１】
以上の構成において、図１に示す中立位置から、スライドスイッチの操作部１３Ａを左方向へ操作すると、図４の断面図に示すように、ばね１５は一端がケース１１の収納部１１Ａ左側端に当接し、他端が操作体１３の右側の押圧部１３Ｂに押圧されて圧縮すると共に、操作体１３の側面に固定された可動接片４の接点部４Ａ，４Ｂが、ケース１１内の側面を弾接摺動して、中央と左側の固定接点１２Ａ，１２Ｂに弾接し、可動接片４を介して固定接点１２Ａ，１２Ｂ間の電気的接続が行なわれる。
【００３２】
そして、操作部１３Ａへの操作力を解除すると、圧縮したばね１５の付勢力により、操作体１３は可動接片４と共に元の中立位置に復帰して、固定接点１２Ａ，１２Ｂ間が電気的に切断される。
【００３３】
また、操作部１３Ａを右方向へ操作すると、左方向への操作の場合と同様に可動接片４の移動に伴い、中央と右側の固定接点１２Ａと１２Ｃ間の電気的接続が行なわれ、操作力を解除すると、ばね１５の付勢力により操作体１３は元の中立位置に復帰する。
【００３４】
このように本実施の形態によれば、両端の座巻部数が合計で３／４巻き〜１巻きのコイル状のばね１５を、ケース１１の収納部１１Ａに収納し、このばね１５で操作体１３を付勢するようにしてスライドスイッチを構成することによって、ばね１５の上半分と下半分の寸法がほぼ全周にわたって同等で、どの位置で収納部１１Ａの左右側面に弾接してもばね１５が均等に撓むため、中間部の突出や収納部１１Ａからの外れがなく、組立て易く、作業の容易なスライドスイッチ及びその製造方法を得ることができるものである。
【００３５】
なお、以上の説明では、ばね１５をケース１１の収納部１１Ａに収納し、これを操作体１３の押圧部１３Ｂで撓ませる構成として説明したが、従来の技術の場合と同様に、ばねを操作体中央下面に設けた収納部に収納し、これをケース内底面に設けたリブ状の押圧部で撓ませる構成としても、本発明の実施は可能である。
【００３６】
【発明の効果】
以上のように本発明によれば、組立て易く、作業が容易で、安価なスライドスイッチを得ることができるという有利な効果が得られる。
【図面の簡単な説明】
【図１】本発明の一実施の形態によるスライドスイッチの断面図
【図２】同分解斜視図
【図３】同ばねの斜視図
【図４】同動作時の断面図
【図５】従来のスライドスイッチの断面図
【図６】同分解斜視図
【図７】同動作時の断面図
【図８】同ばねの斜視図
【符号の説明】
４  可動接片
４Ａ，４Ｂ  接点部
６  カバー
１１  ケース
１１Ａ  収納部
１１Ｂ  溝部
１２Ａ，１２Ｂ，１２Ｃ  固定接点
１３  操作体
１３Ａ  操作部
１３Ｂ  押圧部
１５  ばね
１５Ａ，１５Ｂ  座巻部
【図１】
0004061946.tif 000002
【図２】
0004061946.tif 000003
【図３】
0004061946.tif 000004
【図４】
0004061946.tif 000005
【図５】
0004061946.tif 000006
【図６】
0004061946.tif 000007
【図７】
0004061946.tif 000008
【図８】
0004061946.tif 000009